(57)【要約】【課題】水処理用固定床エレメントをいっそう効率良く製造できるようにする。【解決手段】複数の経糸１と多数の緯糸２とからなる簾状の織物６を形成する。経糸１の長さ方向の両端に固定床の枠体への取付け部９を形成する。隣り合う経糸１どうしの間における緯糸２の部分を経糸１の長さ方向にわたって切断する。各経糸１の長さ方向の中間部に捩じりを加えて経糸１に長さ方向にわたる撚りを与えることで、切断された多数の緯糸２を各経糸１のまわりに螺旋状に配列させるとともに各経糸１から放射状に突出させる。各経糸１をその中間部で切断して、この切断部における縦糸１の端部に固定床の枠体への取付け部９Ａを形成する。【選択図】図１
2010167321.tif 000002
【特許請求の範囲】
【請求項１】
複数の経糸と多数の緯糸とからなる簾状の織物を形成し、経糸の長さ方向の両端に固定床の枠体への取付け部を形成し、隣り合う経糸どうしのに間における緯糸の部分を経糸の長さ方向にわたって切断し、各経糸の長さ方向の中間部に捩じりを加えて経糸に長さ方向にわたる撚りを与えることで、切断された多数の緯糸を各経糸のまわりに螺旋状に配列させるとともに各経糸から放射状に突出させ、各経糸を前記中間部で切断して、この切断部における縦糸の端部に固定床の枠体への取付け部を形成することを特徴とする水処理用固定床エレメントの製造方法。
【発明の詳細な説明】
【技術分野】
【０００１】
本発明は水処理用固定床エレメントの製造方法に関する。
【背景技術】
【０００２】
水処理用固定床エレメントとして、芯材の長さ方向にわたって多数の房状糸を放射状に突出させたものが知られている。このような芯材と房状糸とからなる接触材によれば、房状糸が揺動することによって、汚泥の付着が均一になるとともに余分な汚泥の付着が発生しないという利点がある。
【０００３】
このような固定床エレメントを能率よく製造するための方法が、特許文献１において提案されている。すなわち特許文献１には、複数の経糸と多数の緯糸とからなる簾状の織物を形成し、経糸の長さ方向の両端に固定床の枠体への取付け部を形成し、隣り合う経糸どうしの間における緯糸の部分を経糸の長さ方向にわたって切断し、各経糸の長さ方向の中間部に捩じりを加えてこの経糸に長さ方向にわたる撚りを与えることで、切断された多数の緯糸を各経糸のまわりに螺旋状に配列させるとともに各経糸から放射状に突出させ、各経糸に与えられた撚りの状態を固定具によって保持させることが記載されている。
【０００４】
図３は、特許文献１に記載の製造方法を説明するもので、複数存在するそれぞれの経糸１のまわりに多数の緯糸２が螺旋状に配列されるとともに各経糸１から放射状に突出された状態が示されている。３は、経糸１の長さ方向の両端に形成された、固定床の枠体への取付け部で、筒状に形成されている。各経糸１の長さ方向の中間部には、各経糸１に与えられた撚りの状態を保持するための固定具４が設けられている。固定具４は、針金などによって構成することができ、たとえばこの針金により経糸１の長さ方向の中間部に縛りを与えることで、撚りの状態を保持することができる。
【０００５】
図３に示される段階の前に、上記のように複数の経糸１と多数の緯糸２とからなる簾状の織物が形成され、隣り合う経糸１、１どうしのに間における緯糸２の部分を経糸１の長さ方向にわたって切断され、各経糸１の長さ方向の中間部に捩じりを加えてこの経糸１に長さ方向にわたる撚りが与えられる。
【０００６】
図３に、このような製造方法によって得られた固定床エレメントの概略構成を示す。ここで、Ｌはエレメントの長さを表す。
【先行技術文献】
【特許文献】
【０００７】
【特許文献１】特開平７−２７５８８０号公報
【発明の概要】
【発明が解決しようとする課題】
【０００８】
本発明は、このような従来の製造方法にさらに改善を加えて、水処理用固定床エレメントをいっそう効率良く製造できるようにすることを目的とする。
【課題を解決するための手段】
【０００９】
この目的を達成するため本発明は、複数の経糸と多数の緯糸とからなる簾状の織物を形成し、経糸の長さ方向の両端に固定床の枠体への取付け部を形成し、隣り合う経糸どうしのに間における緯糸の部分を経糸の長さ方向にわたって切断し、各経糸の長さ方向の中間部に捩じりを加えて経糸に長さ方向にわたる撚りを与えることで、切断された多数の緯糸を各経糸のまわりに螺旋状に配列させるとともに各経糸から放射状に突出させ、各経糸を前記中間部で切断して、この切断部における縦糸の端部に固定床の枠体への取付け部を形成するものである。
【発明の効果】
【００１０】
このようにすると、一本の経糸に捩りを加えて撚りを与えたうえで切断することで二つのエレメントを製造することができるため、二本の経糸にそれぞれ捩りを加えて撚りを与える場合に比べて、一本の経糸あたりの捩りの回数は増えるものの、全体の作業としては手間をほぼ半減させることができる。作業の機械化も容易である。このため、水処理用固定床エレメントを効率良く製造することができる。
【図面の簡単な説明】
【００１１】
【図１】本発明の実施の形態の水処理用固定床エレメントの製造方法を示す図である。
【図２】図１よりも前の製造工程を示す図である。
【図３】従来の製造方法を示す図である。
【発明を実施するための形態】
【００１２】
本発明にもとづき水処理用固定床エレメントを製造する際には、まず、図２に示すように、製造しようとするエレメントの長さＬに比べて約２倍強の長さを有する経糸１を複数準備する。そして、この複数の経糸１と多数の緯糸２とによって簾状の織物６を製造する。すなわち、経糸１どうしは所定の間隔をおいて疎に配置し、緯糸２どうしはほとんど間隔をおかずに密に配置する。詳細には、隣り合う経糸１どうしは、製造されるエレメントにおける房状の接触材の直径に対応した距離だけ互いに離れている。
【００１３】
緯糸２の両端は、織物６の両側端に配置された二つの経糸１から、房状の接触材の半径に対応した長さだけ、それぞれ側方にはみ出している。経糸１にはポリエステル強力糸などを利用するのが好ましく、また緯糸２には、ハイバルク加工により嵩高に構成されたアクリル繊維などを利用するのが好ましい。
【００１４】
このような織物６が製造されたなら、図１（ａ）に示すように、織物６における複数の経糸１の両端側に対応する部分にわたってキャンバスなどの添え布８を当てがい、この添え布８とともに経糸１の長さ方向に沿った織物６の両端を袋状に縫製して、固定床の枠体への取付け部９を形成する。すなわち、一対の取付け部９、９の間に複数の経糸１がわたされた状態となる。取付け部９は、図１に示すように、緯糸２の方向に袋状すなわち筒状となるように構成され、その両端が開口している。
【００１５】
次に、隣り合う経糸１どうしの中間の位置における緯糸２の部分を、一方の取付け部９から他方の取付け部９にわたって、すなわち経糸１の長さ方向にわたって切断する。そして、各経糸１における長さ方向の中間部７に、それぞれ捩じりを加える。これにより、経糸１における捩じりを加えた部分の両側では、互いに反対方向の撚りが入り、経糸１の長さ方向にわたって、緯糸２が経糸１のまわりに螺旋状に配列されるとともに経糸１から放射状に突出されることになる。
【００１６】
各経糸１について同様の処理を施したなら、これら経糸１の長さ方向の中間部７すなわち捩じりを加えた部分を切断する。図１（ａ）において、１０は切断線を表す。そして、経糸１に施した撚りを保持したまま、図１（ｂ）（ｃ）に示すように、切断個所における複数の経糸１の端部にわたって同様にキャンバスなどの添え布８を当てがい、この添え布８とともに経糸１の長さ方向に沿った織物６の両端を袋状に縫製して、固定床の枠体への取付け部９Ａを形成する。
【００１７】
すなわち、所要の長さＬの約２倍の長さの複数の経糸１に撚りを付与したうえで、これら経糸１の長さ方向における中間部７を切断することで、複数の経糸１を有する長さＬの二つのエレメントを効率良く製造することができる。このようにすると、生産性が高く、また従来に比べて経糸１の長さを約２倍にするだけで良いために製造のための機械化が容易であり、しかも特殊な製造技術は必要がないため品質的にも安定させることができ、均一なエレメントを得ることができる。
【符号の説明】
【００１８】
１    経糸
２    緯糸
６    織物
７    中間部
９    取付け部
９Ａ  取付け部
【図１】
2010167321.tif 000003
【図２】
2010167321.tif 000004
【図３】
2010167321.tif 000005